(57)【要約】【課題】詰め替え時における内容物のこぼれ落ちを防止することができると共に、容易に速やかな詰め替えができる詰め替え容器を提供するを目的とする。【解決手段】内容物が充填された容器本体２が備えられ、空容器に対して内容物を詰め替える詰め替え容器１であって、容器本体２の口部２０の開口端の先方側に向かって突出し、空容器の口筒部の上方に容器本体２を倒立姿勢で配置させた詰め替え状態において空容器の外面に係止可能な係止部３２が備えられ、口部２０の開口端には、その開口端を封止すると共に、口部２０の一方の側方で折り返されて口部２０の他方の側方まで延在する封止シート４が剥離可能に貼着されている。【選択図】図２
2010083543.tif 000002
【特許請求の範囲】
【請求項１】
内容物が充填された容器本体が備えられ、空容器に対して前記内容物を詰め替える詰め替え容器であって、
前記容器本体の口部の開口端の先方側に向かって突出し、前記空容器の口筒部の上方に前記容器本体を倒立姿勢で配置させた詰め替え状態において前記空容器の外面に係止可能な係止部が備えられ、
前記口部の開口端には、該開口端を封止すると共に、前記口部の一方の側方で折り返されて前記口部の他方の側方まで延在する封止シートが剥離可能に貼着されていることを特徴とする詰め替え容器。
【請求項２】
請求項１に記載の詰め替え容器において、
前記容器本体の口部の開口端の先方側に向かって突出し、前記詰め替え状態において前記空容器の口筒部の内側に嵌入可能な嵌入部が備えられていることを特徴とする詰め替え容器。
【発明の詳細な説明】
【技術分野】
【０００１】
本発明は、詰め替え容器に関する。
【背景技術】
【０００２】
近年では、容器内の内容物を使い切った後に、その容器（空容器）内に詰め替え容器から内容物を移し替え、容器体を廃棄せずに引き続き使用する需要者が増えている。従来の詰め替え容器では、詰め替え容器内の内容物を空容器の口筒部から注ぎ入れることで、内容物の詰め替えを行っていたが、この詰め替え時に、内容物が容器体の外側にこぼれ落ちたり、また、詰め替え作業に時間を要することで内容物が空気と接触し、例えば内容物の香りが逸散したり、或いは内容物が吸湿したりする等の問題が指摘されていた。
このような問題を解決するための手段として、例えば下記特許文献１に示されるように、詰め替え容器を、気密性を有する袋体とすることで、内容物の詰め替えに際し、内容物を詰め替え容器である袋体ごと容器体内に収納することが提案されている。
【特許文献１】特開２００６−１８８２６６号公報
【発明の開示】
【発明が解決しようとする課題】
【０００３】
しかしながら、容器体内に内容物を袋体ごと収納する手段では、以下に示す問題があった。
例えば、容器体を傾けて容器体から内容物を取り出す際、容器体から取り出される内容物の量が、容器体の傾きだけではなく容器体内に収納された袋体の形状に依存するので、内容物を適量取り出すことが難しいという問題があった。また、容器体が例えばガラス等の透明な材質で形成されている場合、容器体の外側から袋体が透けて見えることで見栄えが悪くなり、しかも容器体が透明であっても内容物が袋体に収容されているので内容物の残量を確認することが困難であるという問題もあった。
【０００４】
本発明は、前述した事情に鑑みてなされたものであって、その目的は、上記した袋体を用いることなく、詰め替え時における内容物のこぼれ落ちを防止することができると共に、容易に速やかな詰め替えができる詰め替え容器を提供することである。
【課題を解決するための手段】
【０００５】
本発明に係る詰め替え容器は、内容物が充填された容器本体が備えられ、空容器に対して前記内容物を詰め替える詰め替え容器であって、前記容器本体の口部の開口端の先方側に向かって突出し、前記空容器の口筒部の上方に前記容器本体を倒立姿勢で配置させた詰め替え状態において前記空容器の外面に係止可能な係止部が備えられ、前記口部の開口端に、該開口端を封止すると共に、前記口部の一方の側方で折り返されて前記口部の他方の側方まで延在する封止シートが剥離可能に貼着されていることを特徴としている。
【０００６】
このような特徴により、詰め替え容器内の内容物を空容器に詰め替える際には、まず、空容器の口筒部と詰め替え容器の容器本体の口部とが上下に対向配置されるように、容器本体を倒立姿勢にして詰め替え容器を空容器の口筒部の上方に配置する。このとき、係止部が空容器の外面に係止されるため、この係止部を介して詰め替え容器（容器本体）が支持されて空容器と倒立姿勢の詰め替え容器との容器軸方向への相対変位が規制され、倒立姿勢の詰め替え容器が空容器の上方で保持される。次に、口部の他方の側方まで延在する封止シートの端部を口部の他方の側方側へ引っ張ることにより、口部の開口端に貼着された封止シートを剥離させる。このとき、封止シートは、折り返えされた状態で捲り剥がされるので、口部の開口端から容易に剥離される。そして、封止シートが口部の開口端から剥離されて口部の開口端が開放されると、容器本体内に充填された内容物が容器本体の口部から空容器の口筒部を通って空容器の内側に流れ落ちる。これにより、詰め替え容器内の内容物が空容器に詰め替えられる。
【０００７】
また、本発明に係る詰め替え容器は、前記容器本体の口部の開口端の先方側に向かって突出し、前記詰め替え状態において前記空容器の口筒部の内側に嵌入可能な嵌入部が備えられていることが好ましい。
これにより、空容器の口筒部の上方に容器本体を倒立姿勢で配置したとき、嵌入部が空容器の口筒部の内側に嵌入されるため、空容器と倒立姿勢の詰め替え容器とが位置決めされると共に空容器と倒立姿勢の詰め替え容器との容器径方向への相対変位が規制され、空容器と倒立姿勢の詰め替え容器との位置ずれが防止される。
【発明の効果】
【０００８】
本発明に係る詰め替え容器によれば、係止部によって容器本体を倒立姿勢で空容器の上方に保持させた後に封止シートを剥離させることで、容器本体内の内容物が空容器内へ詰め替えられるので、内容物の詰め替え時における内容物のこぼれ落ちを防止することができると共に、容易に速やかな詰め替えができる。
【発明を実施するための最良の形態】
【０００９】
以下、本発明に係る詰め替え容器の第１及び第２の実施の形態について、図面に基いて説明する。
【００１０】
［第１の実施の形態］
まず、本発明の第１の実施の形態について、図１から図５に基いて説明する。
図１は本実施の形態における詰め替え容器１の平面図であり、図２は図１に示すＡ−Ａ間の半断面図であり、図３は図１に示すＢ−Ｂ間の半断面図であり、図４は詰め替え容器１を空容器１０の上に配置した状態を表した断面図であり、図５は詰め替え容器１から空容器１０に対して内容物Ｘを詰め替える状態を表した断面図である。
なお、図２に示す一点鎖線Ｏは詰め替え容器１の中心軸線を示しており、以下、単に「軸線Ｏ」と記し、軸線Ｏが延びた方向を「軸方向」とする。また、容器本体２の口部２０側、つまり口部２０の開口端の先方側（図２における上方）を「上側」とし、その反対側、つまり容器本体２の底部２１側（図２における下方）を「下側」とする。ただし、図４、図５に示すように、内容物の詰め替え時においては、詰め替え容器１が倒立した姿勢になるため、容器本体２の口部２０側が「下側」となり、その反対側が「上側」となる。また、軸線Ｏに直交する方向を「径方向」とし、軸線Ｏ回りの方向を「周方向」とする
【００１１】
図１から図３に示すように、詰め替え容器１は、空容器１０（図４、図５に示す。）に対して内容物を詰め替えるための容器であり、その概略構成としては、内容物が充填された容器本体２と、容器本体２の口部２０の外周に装着された装着部材３と、を備えている。
【００１２】
容器本体２は、有底筒状のボトル容器であり、その概略構成としては、軸方向に延設された円筒状の胴部２２と、胴部２２の下端部に設けられた底部２１と、胴部２２の上端部に設けられて胴部２２の上端から上方に向かうに従い漸次縮径された肩部２３と、肩部２３の上端部に設けられた口部２０と、を備えている。この容器本体２は、例えばポリエチレンやポリプロピレン等の合成樹脂からなる樹脂製部材であり、上記した底部２１、胴部２２、肩部２３及び口部２０は軸方向に連設されていると共に一体に成形されている。口部２０は、胴部２２よりも小径の筒部であり、その上端（開口端）には、径方向内側に向かって突出したフランジ部２４が全周に亘って形成され、その軸方向中間部には、径方向外側に向かって膨出した嵌合凸部２５が全周に亘って形成されている。
【００１３】
装着部材３は、軸線Ｏを共通軸にして口部２０と同軸上に配設された筒状の周壁部３０と、周壁部３０の軸方向中間部から径方向内側に向かって突出しているフランジ部３１と、周壁部３０の上端面に立設された係止部３２と、を備えている。
【００１４】
周壁部３０は、口部２０の外周に間隔をあけて周設された円筒部である。周壁部３０は、容器本体２の肩部２３の外径より小径であり、周壁部３０の下端は、肩部２３の外周面（上面）に係止されている。また、周壁部３０の下端面は、口部２０の開口端よりも下方に形成されている。
【００１５】
フランジ部３１は、周壁部３０の内周面に沿って全周に亘って形成された円環状の板部であり、その内側には、口部２０の下部が嵌入されている。このフランジ部３１の内縁には、口部２０の下部の外周に周設された円筒形状の嵌合筒部３３が立設されている。この嵌合筒部３３の上端面は、上記した口部２０の嵌合凸部２５に下方から係合されており、この嵌合筒部３３と嵌合凸部２５とによって装着部材３が口部２０にアンダーカット嵌合されている。
【００１６】
係止部３２は、口部２０の上方に向かって突出し、図４に示すように空容器１０の口筒部１１の上方に容器本体２を倒立姿勢で配置させた詰め替え状態において空容器１０の外面に係止可能な壁部である。詳しく説明すると、係止部３２は、図１に示すように平面視において口部２０の両側にそれぞれ配設されて互いに対向配置された一対の壁部３２ａ，３２ｂからなる。壁部３２ａ，３２ｂは、周壁部３０に沿って湾曲された平面視円弧形状の壁部である。これら一対の壁部３２ａ，３２ｂの両側端の間には、少なくとも後述する封止シート４の引張部４１の幅よりも大きい間隔がそれぞれあけられている。
【００１７】
上記した口部２０の開口端には、当該開口端を封止する封止シート４が剥離可能に貼着されている。この封止シート４は、気密性を有する薄膜状のシートである。具体的には、封止シート４は、合成樹脂膜や金属膜、紙膜等からなる単層シート、或いは、それらの膜を適宜積層させた多層シートであり、例えばアルミラミネートシート等が用いられる。
【００１８】
また、封止シート４は、口部２０の一方の側方（図１における右側）で折り返されて口部２０の他方の側方（図１における左側）まで延在されている。詳しく説明すると、封止シート４は、二つ折りにされた略帯状のシートであって、口部２０の開口端を閉塞する閉塞部４０と、閉塞部４０の上側に折り返されて口部２０の他方の側方まで延びた引張部４１と、を備えている。
【００１９】
閉塞部４０は、口部２０の外径よりも大径の平面視略円形状を成しており、口部２０の開口端面（フランジ部２４の上面）に図示せぬ接着材を介して貼着されている。引張部４１は、閉塞部４０の外径よりも小さい幅の帯状部であり、閉塞部４０の側端から延設されて閉塞部４０の上面に重ねられている。この引張部４１の一端部は、封止シート４のシート長さ方向の中間部分に形成された折り曲げ部４２を介して閉塞部４０の一端部に連結されている。前記折り曲げ部４２は、一対の壁部３２ａ，３２ｂの一方側（図１における右側）の側端間の隙間に対向する位置に配設されており、シート幅方向（口部２０の開口端外縁の接線方向）に延在されている。一方、引張部４１の他端部は、折り曲げ部４２に直交する方向に延在されており、その先端４１ａが、一対の壁部３２ａ，３２ｂの他方側（図１における左側）の側端間から径方向外側に向けて突出されている。
【００２０】
次に、上記した構成からなる詰め替え容器１の作用について説明する。
【００２１】
上記した詰め替え容器１内の内容物Ｘを空容器１０に詰め替える際には、まず、図４に示すように、空容器１０の口筒部１１と詰め替え容器１の容器本体２の口部２０とが上下に対向配置されるように、容器本体２を倒立姿勢にして詰め替え容器１を空容器１０の口筒部１１の上方に配置する。このとき、装着部材３の係止部３２が空容器１０の外面に係止される。すなわち、一対の壁部３２ａ，３２ｂの下端面が空容器１０の肩部１２の上面に当接し、容器本体２の肩部２３と空容器１０の肩部１２との間に装着部材３（周壁部３０及び係止部３２）が挟み込まれた状態となる。これにより、周壁部３０及び係止部３２を介して詰め替え容器１（容器本体２）が支持されて空容器１０と倒立姿勢の詰め替え容器１との軸方向への相対変位が規制され、倒立姿勢の詰め替え容器１が空容器１０の上方で保持される。
なお、上記した空容器１０は、内容物Ｘが入っていない空の状態であってもよく、或いは、内容物Ｘが残った状態であってもよい。
【００２２】
次に、図５（ａ）に示すように、口部２０の側方まで延在する封止シート４の端部を径方向外側へ向けて引っ張ることにより、口部２０の開口端に貼着された封止シート４を剥離させる。詳しく説明すると、一対の壁部３２ａ，３２ｂの他方側の側端間から径方向外側に向けて突出された引張部４１の他端部の先端４１ａを指等で摘み、当該引張部４１を装着部材３（一対の壁部３２ａ，３２ｂの間）から引き出すように引っ張る。これにより、口部２０の開口端を閉塞する閉塞部４０は、折り返えされた状態で、折り曲げ部４２側から捲り剥がされていくため、閉塞部４０は口部２０の開口端から容易に剥離される。
【００２３】
そして、図５（ｂ）に示すように、封止シート４の閉塞部４０が口部２０の開口端から剥離されて口部２０の開口端が開放されると、容器本体２内に充填された内容物Ｘが容器本体２の口部２０から空容器１０の口筒部１１を通って空容器１０の内側に流れ落ちる。これにより、詰め替え容器１内の内容物Ｘが空容器１０に詰め替えられる。
【００２４】
上記した詰め替え容器１によれば、装着部材３によって容器本体２を倒立姿勢で空容器１０の上方に保持させた後に封止シート４を剥離させることで、容器本体２内の内容物Ｘが空容器１０内へ詰め替えられるので、内容物Ｘの詰め替え時における内容物Ｘのこぼれ落ちを防止することができ、内容物Ｘを容易に詰め替えることができる。また、速やかに詰め替えができるので、例えば内容物Ｘの香りの逸散や吸湿を抑制することができる。
【００２５】
［第２の実施の形態］
次に、本発明の第２の実施の形態について、図６から図８に基いて説明する。
図６は本実施の形態における詰め替え容器１の平面図であり、図７は図６に示すＣ−Ｃ間の半断面図であり、図８は詰め替え容器１を空容器１０の上に配置した状態を表した断面図である。
なお、上述した第１の実施の形態と同様の構成については、同一の符号を付して説明を省略する。
【００２６】
図６、図７に示すように、装着部材３には、容器本体２の口部２０の上方に向かって突出し、図８に示す詰め替え状態において空容器１０の口筒部１１の内側に嵌入可能な嵌入部３４が備えられている。詳しく説明すると、嵌入部３４は、図６に示すように平面視において口部２０の両側にそれぞれ配設されて互いに対向配置された一対の壁部３４ａ，３４ｂからなる。これらの壁部３４ａ，３４ｂは、フランジ部３１の上面から立設された壁部であり、係止部３２を構成する一対の壁部３２ａ，３２ｂの内側に配設されている。また、壁部３４ａ，３４ｂは、嵌合筒部３３の外周面に沿って湾曲された平面視円弧形状の壁部であり、壁部３４ａ，３４ｂの外面は、空容器１０の口筒部１１の内周面と同等の曲率半径で湾曲されている。一対の壁部３４ａ，３４ｂの両側端の間には、少なくとも後述する封止シート４の引張部４１の幅よりも大きい間隔がそれぞれあけられており、これら一対の壁部３４ａ，３４ｂの側端の間を通って封止シート４の引張部４１が延設されている。
【００２７】
上記した嵌入部３４を有する詰め替え容器１では、図８に示すように、容器本体２を倒立姿勢にして詰め替え容器１を空容器１０の口筒部１１の上方に配置したとき、嵌入部３４が空容器１０の口筒部１１の内側に嵌入され、嵌入部３４の一対の壁部３４ａ，３４ｂの外面が空容器１０の口筒部１１の内周面に摺接する。このため、空容器１０と倒立姿勢の詰め替え容器１とが位置決めされると共に空容器１０と倒立姿勢の詰め替え容器１との径方向への相対変位が規制され、空容器１０と倒立姿勢の詰め替え容器１との位置ずれが防止される。
【００２８】
上記した詰め替え容器１によれば、嵌入部３４によって空容器１０と倒立姿勢の詰め替え容器１とが位置決めされるため、空容器１０に対する所定位置に詰め替え容器１を容易にセットすることができ、内容物Ｘの詰め替え作業を容易に行うことができる。
また、嵌入部３４によって空容器１０と倒立姿勢の詰め替え容器１との位置ずれが防止されるため、内容物Ｘの詰め替え時における内容物Ｘのこぼれ落ちを確実に防止することができると共に、容易に速やかな詰め替えができる。
【００２９】
以上、本発明に係る詰め替え容器の実施の形態について説明したが、本発明は上記した実施の形態に限定されるものではなく、その趣旨を逸脱しない範囲で適宜変更可能である。
例えば、上記した実施の形態では、係止部３２が空容器１０の肩部１２に係止されているが、本発明の係止部は、空容器の外面の何れかの部分に係止されていればよく、例えば、係止部が空容器の胴部に嵌合されて係止される構成であってもよく、或いは、係止部が空容器の口筒部に嵌合されて係止される構成であってもよい。
【００３０】
また、上記した実施の形態では、係止部３２が平面視円弧形状の一対の壁部３２ａ，３２ｂから構成されているが、本発明は、他の形状の係止部であってもよく、例えば、平面視Ｃ字形状の壁部からなる係止部であってもよく、或いは、湾曲されていない平板状の壁部からなる係止部であってもよい。
【００３１】
また、上記した実施の形態では、容器本体２の口部２０の外周に装着部材３が装着され、その装着部材３に係止部３２や嵌入部３４が設けられているが、本発明は、他の構成であってもよく、例えば、係止部や嵌入部が容器本体２の肩部２３に突設されていてもよい。この場合、装着部材３を省略することができ、部品点数を削減することができる。また、有底筒状容器（容器本体２）の開口端の内側に、口部が形成された装着部材が嵌合され、その装着部材に係止部や嵌入部が設けられた構成であってもよい。
【００３２】
また、上記した実施の形態では、容器本体２が有底筒状のボトル容器からなるが、本発明の容器本体は、有底筒状のボトル容器に限定されるものではない。例えば、可撓性を有する袋体に筒状のスパウト（口部）が装着された構成の容器本体であってもよい。
【００３３】
また、上記した実施の形態では、封止シート４が最初から折り返された状態となっているが、本発明は、詰め替え作業を行う前において、封止シート４が折り返されていなく、詰め替え時に、まず、封止シート４を折り返し、その後、容器本体２を倒立姿勢にして詰め替え容器１を空容器１０の口筒部１１の上方に配置してもよい。
【００３４】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００３５】
【図１】本発明の第１の実施の形態を説明するための詰め替え容器の平面図である。
【図２】図１に示すＡ−Ａ間の半断面図である。
【図３】図１に示すＢ−Ｂ間の半断面図である。
【図４】本発明の第１の実施の形態を説明するための詰め替え容器及び空容器の断面図であって、詰め替え容器を空容器の上に配置した状態を表した図である。
【図５】本発明の第１の実施の形態を説明するための断面図であって、詰め替え容器から空容器に対して内容物を詰め替える状態を表した図である。
【図６】本発明の第２の実施の形態を説明するための詰め替え容器の平面図である。
【図７】図６に示すＣ−Ｃ間の半断面図である。
【図８】本発明の第２の実施の形態を説明するための詰め替え容器及び空容器の断面図であって、詰め替え容器を空容器の上に配置した状態を表した図である。
【符号の説明】
【００３６】
１  詰め替え容器
２  容器本体
４  封止シート
１０  空容器
１１  口筒部
２０  口部
３２  係止部
３４  嵌入部
【図１】
2010083543.tif 000003
【図２】
2010083543.tif 000004
【図３】
2010083543.tif 000005
【図４】
2010083543.tif 000006
【図５】
2010083543.tif 000007
【図６】
2010083543.tif 000008
【図７】
2010083543.tif 000009
【図８】
2010083543.tif 000010